【手続補正書】
【提出日】平成17年1月31日(2005.1.31)
【手続補正１】
【補正対象書類名】明細書
【補正対象項目名】特許請求の範囲
【補正方法】変更
【補正の内容】
【特許請求の範囲】
【請求項１】
空気イオン化装置が効率的に動作しているか否か判定するために前記空気イオン化装置の第１電極および第２電極において発生するイオン電流を監視する方法であって、
第１電極において正電圧を発生するステップと、
第２電極において負電圧を発生するステップと、
前記第１電極と前記第２電極の間に正のイオン電流の流れを確立し、前記第２電極と前記第１電極の間に負のイオン電流の流れを確立するように、前記第１電極に近接して前記第２電極を配置するステップと、
前記第１電極と前記第２電極の間の合計電極交差イオン電流を測定するステップと、
前記空気イオン化装置の効率を判定するために、前記合計電極交差イオン電流を測定する毎に、これを初期の合計電極交差イオン電流と比較するステップと、
を備える方法。
【請求項２】
請求項１記載の方法であって、前記比較するステップは、
前記合計電極交差イオン電流を測定する毎に、これを前記初期の合計電極交差イオン電流で除算して、分数的な効率百分率を得るステップと、
前記分数的な効率百分率を１００倍し、前記合計電極交差イオン電流を測定したときの前記空気イオン化装置の全体的効率百分率を得るステップと、
を備える、方法。
【請求項３】
請求項１記載の方法であって、前記初期の合計電極交差イオン電流は、前記空気イオン化装置の使用開始時に、前記電極のイオン化効率のベンチマークとして決定する、方法。
【請求項４】
請求項３記載の方法であって、前記初期の合計電極交差イオン電流は、
前記空気イオン化装置の使用開始時に、前記第１電極において初期正電圧を発生し、
前記空気イオン化装置の使用開始時に、前記第２電極において初期負電圧を発生し、
前記第１電極と前記第２電極の間に正イオン電流の初期の流を確立し、前記第２電極と第１電極の間に負イオン電流の初期の流を確立するように、前記第２電極を前記第１電極に近接して配置し、
前記空気イオン化装置の使用開始時に、前記第１電極と前記第２電極の間の前記初期の合計電極交差イオン電流を測定する
ことによって決定する、方法。
【請求項５】
請求項１記載の方法であって、前記第１電極と前記第２電極の間の合計電極交差イオン電流を測定する前記ステップは、
前記第１電極から前記第２電極へ流れる前記正のイオン電流と、前記第２電極から前記第１電極へ流れる前記負のイオン電流との和を、第１時間間隔で測定するステップを備える、方法。
【請求項６】
請求項１記載の方法であって、前記第１電極および前記第２電極における前記正電圧および前記負電圧は、間欠的および交互に発生される、方法。
【請求項７】
請求項６記載の方法であって、前記正電圧および前記負電圧の一方をその最大出力を生成するように発生し、その間に前記正電圧および前記負電圧の他方を実質的に０にする、方法。
【請求項８】
請求項１記載の方法であって、
前記合計電極交差イオン電流と前記初期の合計電極交差イオン電流との間での比較の結果に基づいて、前記電極を清浄するときを決定するステップを更に備える方法。
【請求項９】
対象物の電荷を制御する装置であって、
第１電極と、
第２電極と、
接地ノードと、
前記第１電極に結合され、前記第１電極から前記第２電極へ正イオン電流が流れるように正電圧を発生する第１高電圧発生機と、
前記第１高電圧発生機における帰還端子および出力端子と、
前記第２電極に結合され、前記第２電極から前記第１電極へ負イオン電流が流れるように負電圧を発生する第２高電圧発生機と、
前記第２高電圧圧電機における帰還端子および出力端子と、
前記第１高電圧発生機の帰還端子と前記第２高電圧発生機の帰還端子との間に結合され、前記第２電極から前記第１電極へ流れる前記負イオン電流と、前記第１電極から前記第２電極へ流れる前記正イオン電流との和を測定する電極交差イオン電流測定回路であって、前記第１電極および前記第２電極が効率的に動作しているかを判定するために、前記第１電極と前記第２電極の間の合計電極交差イオン電流を測定し、該合計電極交差イオン電流を初期合計電極交差イオン電流と比較する電極交差イオン電流測定回路と、
を備える装置。
【請求項１０】
請求項９記載の装置であって、前記第１電極および前記第２電極の近傍に外部静電界がない場合に、実質的に、前記正イオン電流の全てが前記第１電極から前記第２電極へ流れ、前記負イオン電流の全てが前記第２電極から前記第１電極へ流れる距離だけ、前記第１電極と前記第２電極を離間した装置。
【請求項１１】
請求項９記載の装置であって、前記電極交差イオン電流測定回路は、
前記第１高電圧発生機と前記第２高電圧発生機との帰還端子の間に結合された抵抗と、
前記抵抗にまたがって結合され、前記抵抗の合計電圧降下を測定する電圧計であって、前記抵抗の両端間の前記電圧降下が、前記第２電極から前記第１電極へ流れる負イオン電流と、前記第１電極から前記第２電極へ流れる正イオンとの和を決定する、電圧計と、
を備える、装置。
【請求項１２】
請求項９記載の装置であって、前記電極交差イオン電流測定回路は、
前記第１高電圧発生機の帰還端子と前記接地ノードとの間に結合された第１抵抗と、
前記第２高電圧発生機の帰還端子と前記接地ノードとの間に結合された第２抵抗と、
前記第１および第２抵抗にまたがって結合され、各抵抗の両端間の合計電圧降下を測定する電圧計であって、前記第１抵抗および前記第２抵抗の両端間の電圧降下が、前記第２電極から前記第１電極へ流れる負イオン電流と、前記第１電極から前記第２電極へ流れる正イオン電流との和を決定する、電圧計と、
を備える、装置。
【請求項１３】
請求項１２記載の装置であって、前記第１抵抗および前記第２抵抗は実質的に値が等しい、装置。
【請求項１４】
請求項１２記載の装置であって、前記電極交差イオン電流測定回路は、
前記第１および前記第２抵抗の両端間で測定した電圧をスケーリングするスケーリグ回路を更に備える、装置。
【請求項１５】
請求項９記載の装置であって、
前記電極を清浄するときをユーザに警告するインジケータを更に備え、前記合計電極交差イオン電流と前記初期合計電極交差イオン電流との比較の結果に基づいて前記インジケータを活性化させる、装置。
【請求項１６】
請求項９記載の装置であって、
前記第１高電圧発生機および前記第２高電圧発生機を作動させ、それぞれ、正の高電圧および負の高電圧を、間欠的かつ交互に、実質的に電力線周波数に等しい周波数で、それぞれ、前記第１電極および前記第２電極へ供給する回路を更に備える装置。
【請求項１７】
請求項１２記載の装置であって、
前記第１抵抗に並列に結合される第１フィルタ・コンデンサと、
前記第２抵抗に並列に結合される第２フィルタ・コンデンサとを更に備え、
前記第１コンデンサおよび前記第２コンデンサが、それぞれ、前記第１抵抗および前記第２抵抗の両端間にＤＣ電圧を生成するように機能する、装置。
【請求項１８】
請求項１６記載の装置であって、
前記第１高電圧発生機の出力端子と帰還端子の間に結合され、前記第１高電圧発生機が作動していないときに、ドレイン抵抗として作用し、前記第１電極に実質的に０の出力電圧を供給する第１高電圧定格抵抗と、
前記第２高電圧発生機の出力端子と帰還端子の間に結合され、前記第２高電圧発生機が作動していないときに、ドレイン抵抗として作用し、前記第２電極に実質的に０の出力電圧を供給する第２高電圧定格抵抗と、
を更に備える装置。
【請求項１９】
請求項１６記載の装置であって、前記第１高電圧発生機は、デューティ・サイクルの第１部分の間は非アクティブであり、前記第２高電圧発生機は、前記デューティ・サイクルの第２部分の間は非アクティブである、装置。